(57)【特許請求の範囲】
【請求項１】
互いに一方の側縁において前後方向に沿って連続し、断面略菱形の懐部を形成する可撓性を具備する第１板体および第２板体と、
前記一方の側縁の前記懐部の外側に設けられた側縁突条と、
前記第１板体と前記第２板体とに跨がって、前記第１板体、前記第２板体のそれぞれから外側に向かって突出するように設けられ、後方において前記側縁突条に接続され前記一方の側縁側から他方に向かうように延伸する傾斜突条とを有し、
前記側縁突条および前記傾斜突条は複数であって、互いに接続された前記側縁突条および前記傾斜突条のそれぞれにおいて、
前記傾斜突条の後側の面である傾斜突条後面が前記側縁突条と接続され、前記傾斜突条後面は、前方に向かうに従い前記一方の側縁から離れるように傾斜していることを特徴とするコルゲートチューブ通し治具。
【請求項２】
前記第１板体および前記第２板体の一方の端縁は、前記一方の側縁寄りの範囲が前記傾斜突条に略平行であることを特徴とする請求項１記載のコルゲートチューブ通し治具。
【請求項３】
前記第１板体および前記第２板体の前記懐部の外側に、前記傾斜突条の前記側縁突条に接続された方の面を延長した仮想延長面上に略配置された面を具備し、前記傾斜突条との間に間隙を空けて設けられた補助傾斜突条を有することを特徴とする請求項１または２記載のコルゲートチューブ通し治具。
【発明の詳細な説明】
【技術分野】
【０００１】
本発明はコルゲートチューブ通し治具、特に、コルゲートチューブをワイヤハーネスに装着するためのコルゲートチューブ通し治具に関する。
【背景技術】
【０００２】
従来、ワイヤハーネスの幹線から分岐線(枝線）が引き出される分岐部にコルゲートチューブを装着するための治具として、正面視の断面が略Ω字状で、側面視略三角形であって、一対の傾斜縁のそれぞれに外方に突出するフランジ状の案内レールを設け、溝底の前端に分岐線収納切欠を備えた構造を有する発明が開示されている（例えば、特許文献１参照）。
また、幹線を内部に保持する断面半円環状の内側筒部および外側筒部と、内側筒部の前端領域の下辺に設けられたそれぞれ外側に突出した一対の顎部と、一対の顎部にそれぞれ設けられた互いに平行な把持部と、コルゲートチューブに形成されている軸方向スリットを案内可能なフランジ部とを設けた発明が開示されている（例えば、特許文献２参照）。
【先行技術文献】
【特許文献】
【０００３】
【特許文献１】特開平０９−２３７５３０号公報（第２−３頁、図１）
【特許文献２】特開２０１３−２３３０３１号公報（第６−７頁、図１）
【発明の概要】
【発明が解決しようとする課題】
【０００４】
特許文献１に開示された発明は、可撓性を有するものであって、幹線を包囲した状態で分岐線収納切欠に分岐線を装着して、傾斜縁の後端を指先で押させることによって傾斜縁の後端を当接させ、一対の案内レールを突き合わせるものである。そして、当接している傾斜縁の後端をコルゲートチューブに形成されている軸方向スリットに係合させ、案内レールをコルゲートチューブ内に侵入させた状態で、コルゲートチューブを前端に向けて送り出して幹線を包囲すると共に、コルゲートチューブに形成されている孔あき部（分岐線貫通用孔）に分岐線を収納するものである。
このため、傾斜縁の後端を近接させるには、指先に大きな力をかける必要があり、また、傾斜縁の後端の近接が不十分である場合には、軸方向スリットを傾斜縁の後端に嵌めることができないことから、作業性が悪いという問題があった。
【０００５】
特許文献２に開示された発明は、外側筒部の前端領域の下辺を鍔部に連結し、上辺を鍔部の前端に向けて傾斜状に形成し、フランジ部をかかる傾斜した上辺の外方に屈曲形成しているため、把持部を指先で把持し、断面半円環状の内側筒部を幹線に被せた状態で、フランジ部の後端に軸方向スリットを係合させ、前端に向けてコルゲートチューブを移動させるものである。したがって、軸方向スリットは、前端に向けての移動に伴って徐々に拡開され、前端を離れるときには十分に拡開された状態で、前端から露出している幹線へと案内され、やがて、前端から離れた後、コルゲートチューブが幹線を収納した状態で、弾性力によって閉鎖する。このとき、並行して治具を後端方向に移動させることによって、コルゲートチューブに形成された孔あき部から分岐線を引き出すことができる。
このため、特許文献１における問題を解消することはできるものの、内側筒部の内径は幹線の外径に対応した大きさであるため、幹線の外径毎に当該治具を用意する必要あるという問題があった。
【０００６】
本発明は、このような状況に鑑みてなされたものであり、様々な外径のワイヤハーネス（幹線）に対しても使用可能で、コルゲートチューブをワイヤハーネスに装着する作業性を向上させるコルゲートチューブ通し治具を提供することにある。
【課題を解決するための手段】
【０００７】
本発明に係るコルゲートチューブ通し治具は、互いに一方の側縁において前後方向に沿って連続し、断面略菱形の懐部を形成する可撓性を具備する第１板体および第２板体と、前記一方の側縁の前記懐部の外側に設けられた側縁突条と、前記第１板体と前記第２板体とに跨がって、前記第１板体、前記第２板体のそれぞれから外側に向かって突出するように設けられ、後方において前記側縁突条に接続され前記一方の側縁側から他方に向かうように延伸する傾斜突条とを有し、前記側縁突条および前記傾斜突条は複数であって、互いに接続された前記側縁突条および前記傾斜突条のそれぞれにおいて、前記傾斜突条の後側の面である傾斜突条後面が前記側縁突条と接続され、前記傾斜突条後面は、前方に向かうに従い前記一方の側縁から離れるように傾斜していることを特徴とする。
【０００８】
また、本発明に係るコルゲートチューブ通し治具は、前記第１板体および前記第２板体の一方の端縁は、前記一方の側縁寄りの範囲が前記傾斜突条に略平行であることを特徴とする。
さらに、本発明に係るコルゲートチューブ通し治具は、前記第１板体および前記第２板体の前記懐部の外側に、前記傾斜突条の前記側縁突条に接続された方の面を延長した仮想延長面上に略配置された面を具備し、前記傾斜突条との間に間隙を空けて設けられた補助傾斜突条を有することを特徴とする。
【発明の効果】
【０００９】
（ａ）本発明によれば、軸方向スリットを具備するコルゲートチューブをワイヤハーネスに装着する際、コルゲートチューブ通し治具の懐部にワイヤハーネスを把持して、コルゲートチューブを斜め方向に送り出し、側縁突条をコルゲートチューブの軸方向スリットに侵入させ、傾斜突条をコルゲートチューブ内に侵入させる。そうすると、軸方向スリットは、第１板体の外面（懐部の外側の面に同じ）および第２板体の外面に摺動しながら広げられ、やがて、該外面から外れたところで、ワイヤハーネスを包囲した状態で、再び狭くなる。よって、簡単な動作でコルゲートチューブをワイヤハーネスに装着することができるから、作業性が向上する。
（ｂ）また、傾斜突条および側縁突条が複数設けられているから、コルゲートチューブの大きさ（内径）毎に、好適な傾斜突条および側縁突条を選択することができる。すなわち、１つのコルゲートチューブ通し治具によって、複数径のコルゲートチューブをワイヤハーネスに装着することができるから、治具の保有数が減少し、治具管理が簡素になる。
（ｃ）さらに、コルゲートチューブ通し治具は略Ｕ字状であって、第１板体および第２板体の他方の側縁が離れている。すなわち、懐部は一方の側縁の反対側が開口しているから、分岐線を具備するワイヤハーネスを分岐部において把持することができる。このため、ワイヤハーネスを把持した状態でコルゲートチューブを送り出して、ワイヤハーネスを保持（軽く把持）した状態でコルゲートチューブ通し治具を一方向に移動する作業を繰り返すだけで、複数の分岐部が設けられたワイヤハーネスに、複数の孔あき部が設けられたコルゲートチューブを簡単かつ迅速に装着することができる。すなわち、コルゲートチューブ通し治具を分岐部毎に取り付けたり、取り外したりする手間が不要になる。
よって、分岐線（分岐部）の有無や数に関わらず、ワイヤハーネスにコルゲートチューブを装着する作業性が向上する。
【図面の簡単な説明】
【００１０】
【図１】本発明の実施の形態１に係るコルゲートチューブ通し治具を説明する側面図である。
【図２】本発明の実施の形態１に係るコルゲートチューブ通し治具を説明する底面図である。
【図３】本発明の実施の形態１に係るコルゲートチューブ通し治具を説明する図１のＡ−Ａ断面における背面視の断面図である。
【図４】本発明の実施の形態１に係るコルゲートチューブ通し治具の使用方法を作業工程を追って説明する側面図であって、コルゲートチューブ通し治具の取り付け工程（Ｓ１）である。
【図５】本発明の実施の形態１に係るコルゲートチューブ通し治具の使用方法を作業工程を追って説明する側面図であって、コルゲートチューブの取り付け工程（Ｓ２）である。
【図６】本発明の実施の形態１に係るコルゲートチューブ通し治具の使用方法を作業工程を追って説明する側面図であって、コルゲートチューブの押し込み工程（Ｓ３）である。
【図７】本発明の実施の形態１に係るコルゲートチューブ通し治具の使用方法を作業工程を追って説明する側面図であって、コルゲートチューブの位置合わせ工程（Ｓ４）である。
【図８】本発明の実施の形態１に係るコルゲートチューブ通し治具の使用方法を作業工程を追って説明する側面図であって、コルゲートチューブ通し治具の移動工程（Ｓ５）である。
【図９】本発明の実施の形態１に係るコルゲートチューブ通し治具の使用方法を作業工程を追って説明する側面図であって、コルゲートチューブ通し治具の取り外し工程（Ｓ６）である。
【発明を実施するための形態】
【００１１】
［実施の形態１］
以下、発明を実施するための形態（以下「実施の形態１」と称す）を、図面を参照しつつ説明する。
図１〜図３は本発明の実施の形態１に係るコルゲートチューブ通し治具を説明するものであって、図１は側面図、図２は底面図、図３は図１のＡ−Ａ断面における背面視の断面図である。なお、各図面は模式的に描かれたものであって、本発明は描かれた形態に限定されるものではない。
【００１２】
（コルゲートチューブ通し治具）
図１〜図３において、コルゲートチューブ通し治具（以下「ＣＯＴ通し治具」と称す）１００は、一方の側縁（以下「接続側縁」と称す）１１において連続し、断面略菱形の懐部１１０を形成する第１板体１０ａおよび第２板体１０ｂによって形成されている。すなわち、第１板体１０ａおよび第２板体１０ｂは、接続側縁１１において折り曲げられたような形態で一体になっている。なお、ＣＯＴ通し治具１００は面対称であるから、説明の便宜上、かかる対称面を「Ｘ−Ｙ面」と、接続側縁１１の方向を「Ｘ方向」と、Ｘ−Ｙ面に垂直の方向を「Ｚ方向」とそれぞれ称す。
そして、接続側縁１１の懐部１１０の外側（以下「外面」と称す場合がある）には、Ｘ−Ｙ面を含む所定の厚さ（Ｚ方向の幅に同じ）の側縁突条２０ａ、２０ｂ、２０ｃ、２０ｄが、互いに間隔を空けて設けられている。また、接続側縁１１において側縁突条２０ａ、２０ｂ、２０ｃのそれぞれに接続され、接続側縁１１を経由して、第１板体１０ａと第２板体１０ｂとに跨がって懐部１１０の外側（外面）に傾斜突条３０ａ、３０ｂ、３０ｃ、３０ｄが設けられている。以下、それぞれについて詳細に説明する。
【００１３】
（板体）
第１板体１０ａは、接続側縁１１に近い第１板体下面１２ａと、第１板体下面１２ａの一部に連なった第１板体中面１３ａと、第１板体中面１３ａに連なった第１板体上面１４ａとを具備している。同様に、第２板体１０ｂは、接続側縁１１に近い第２板体下面１２ｂと、第２板体下面１２ｂの一部に連なった第２板体中面１３ｂと、第２板体中面１３ｂに連なった第２板体上面１４ｂとを具備している。
そして、第１板体下面１２ａの接続側縁１１とは反対の側縁（以下「下面側縁」と称す）１２ｕおよび第１板体上面１４ａの接続側縁１１とは反対の側縁（以下「上面側縁」と称す）１４ｕは、接続側縁１１（Ｙ方向）に平行である。
なお、第１板体下面１２ａ、第１板体中面１３ａおよび第１板体上面１４ａの境界、第２板体下面１２ｂ、第２板体中面１３ｂおよび第２板体上面１４ｂの境界は、それぞれ滑らかに連なっていて、境界線は特定されないものであるが、説明の便宜上、境界に相当する位置に二点鎖線を付している。また、第１板体１０ａと第２板体１０ｂとは面対称であるから、第２板体１０ｂの各部位には第１板体１０ａの各部位と同じ符号を付し、説明を省略する。
【００１４】
そして、側面視（Ｚ方向視）において、第１板体下面１２ａの一方の端縁（以下「下面前端」と称す）１２ｆは、接続側縁１１からＹ方向に離れるほど「−Ｘ方向」になるように傾斜し、第１板体中面１３ａの一方の端縁（以下「中面前端」と称す）１３ｆおよび第１板体上面１４ａの一方の端縁（以下「上面前端」と称す）１４ｆは、接続側縁１１に垂直（Ｙ方向に平行）である。
【００１５】
また、第１板体下面１２ａの他方の端縁（以下「下面後端」と称す）１２ｒは、接続側縁１１からＹ方向に離れるほど「＋Ｘ方向」になるように傾斜している。すなわち、下面後端１２ｒは下面前端１２ｆとは反対の方向に傾斜している。さらに、第１板体中面１３ａの他方の端縁（以下「中面後端」と称す）１３ｒおよび第１板体上面１４ａの他方の端縁（以下「上面後端」と称す）１４ｒは、接続側縁１１からＹ方向に離れるほど「−Ｘ方向」になるように傾斜している。すなわち、中面後端１３ｒおよび上面後端１４ｒは、接続側縁１１に対する傾き量は相違するものの、下面前端１２ｆと同じ方向に傾斜している。
【００１６】
（懐部）
次に、懐部１１０について説明する。正面視（Ｘ方向視）において、第１板体下面１２ａと第２板体下面１２ｂとの間隔、および第１板体中面１３ａと第２板体中面１３ｂとの間隔は、それぞれ接続側縁１１からＹ方向に離れるほど増加するように開いている。なお、第１板体下面１２ａと第２板体下面１２ｂとがなす角度（以下「下面開き角度」と称す）θ１２は、第１板体中面１３ａと第２板体中面１３ｂとがなす角度（以下「中面開き角度」と称す）θ１３よりも小さい。一方、Ｘ方向視において、第１板体上面１４ａと第２板体上面１４ｂとの間隔は、接続側縁１１からＹ方向に離れるほど減少して、それぞれの上面側縁１４ｕ同士は離れている。
したがって、正面視（Ｘ方向視）において、第１板体中面１３ａと第１板体上面１４ａとは、および第２板体中面１３ｂと第２板体上面１４ｂとは、それぞれ略く字状（略Ｖ字状）に連なり、これら４者によって断面略菱形の懐部１１０が形成されている。
そして、ＣＯＴ通し治具１００は可撓性を有する樹脂によって一体的に形成されているから、上面側縁１４ｕ同士の間隔を変更可能（互いに近接ないし当接可能）および懐部１１０の大きさを変更可能である。
【００１７】
（側縁突条）
側縁突条２０ａ、２０ｂ、２０ｃ、２０ｄは、接続側縁１１の懐部１１０の外側（外面）においてＸ−Ｙ面に平行に設けられている。なお、側縁突条２０ａ、２０ｂ、２０ｃ、２０ｄは、後記するようにコルゲートチューブの軸方向スリット（図示しない）に侵入するものである。
なお、側縁突条２０ｄは側縁突条２０ａよりも、側縁突条２０ａは側縁突条２０ｂよりも、側縁突条２０ｂは側縁突条２０ｃよりも、接続側縁１１からの突出量（−Ｙ方向の高さ）および厚さ幅（Ｚ方向の間隔）がそれぞれより小さくなっているが、本発明はこれに限定するものではなく、適宜選定されるもので、それぞれ同じであってもよい。
また、側縁突条２０ａは傾斜突条３０ｂに、側縁突条２０ｂは傾斜突条３０ｃに、側縁突条２０ｃは側縁突条２０ｄに、それぞれ接続されてもよい。さらに、側縁突条２０ａ、２０ｂ、２０ｃ、２０ｄの間隔や数量は限定されるものではない。
【００１８】
（傾斜突条）
傾斜突条３０ａ、３０ｂ、３０ｃ、３０ｄはそれぞれ、接続側縁１１の懐部１１０の外側（外面）を経由して、第１板体１０ａの第１板体下面１２ａの外面と第２板体１０ｂの第２板体下面１２ｂの外面とに跨がって形成されている。
そして、傾斜突条３０ａ、３０ｂ、３０ｃの下面後端１２ｒ側の面（以下「傾斜突条後面３１ａ、３１ｂ、３１ｃ」と称す）が側縁突条２０ａ、２０ｂ、２０ｃの下面前端１２ｆ側の面（以下「側縁突条前面２１ａ、２１ｂ、２１ｃ」と称す）に連なり、Ｚ方向視において、下面前端１２ｆに平行になっている。すなわち、傾斜突条後面３１ａは接続側縁１１から離れるほど側縁突条２０ａから遠ざかるように傾斜し、傾斜突条後面３１ｂは接続側縁１１から離れるほど側縁突条２０ｂから遠ざかるように傾斜し、傾斜突条後面３１ｃは接続側縁１１から離れるほど側縁突条２０ｃから遠ざかるように傾斜している。
一方、傾斜突条３０ｄは、接続側縁１１における下面前端１２ｆ側の面（以下「傾斜突条前面３１ｄ」と称す）が側縁突条２０ｄの下面後端１２ｒ側の面（以下「側縁突条後面２１ｄ」と称す）に連なり、Ｚ方向視において、下面後端１２ｒに平行になっている。すなわち、傾斜突条前面３１ｄは、接続側縁１１から離れるほど側縁突条２０ｄから遠ざかるように傾斜している。
なお、傾斜突条３０ａ、３０ｂ、３０ｃ、３０ｄの突出量は適宜選定されるものであって、それぞれ側縁突条２０ａ、２０ｂ、２０ｃ、２０ｄの突出量と相違してもよい。
【００１９】
（補助傾斜突条）
さらに、第１板体中面１３ａの外面および第２板体中面１３ｂの外面には、Ｚ方向視において、傾斜突条後面３１ａ、３１ｂ、３１ｃを延長した仮想延長面上に略位置する補助傾斜突条後面４１ａ、４１ｂ、４１ｃを具備する補助傾斜突条４０ａ、４０ｂ、４０ｃがそれぞれ設けられている。このとき、補助傾斜突条４０ａ、４０ｂ、４０ｃは、第１板体下面１２ａの外面および第２板体下面１２ｂの外面に設けられた傾斜突条３０ａ、３０ｂ、３０ｃとは間隔を空けて離れているから、下面開き角度θ１２および中面開き角度θ１３は容易に変更可能、すなわち、懐部１１０の大きさが容易に変更可能になっている。
一方、第１板体下面１２ａおよび第２板体下面１２ｂの下面後端１２ｒ寄りの範囲に、傾斜突条前面３１ｄに平行な補助傾斜突条後面５１ｄを具備する補助傾斜突条５０ｄが設けられている。補助傾斜突条５０ｄは側縁突条２０ｄ側（傾斜突条３０ｄを延長した仮想延長面から外れた位置）に配置され、傾斜突条前面３１ｄと補助傾斜突条後面５１ｄとは所定の距離離れている。なお、補助傾斜突条４０ａ、４０ｂ、４０ｃ、５０ｄの突出量や長さは適宜選定されるものである。
【００２０】
（使用方法）
図４〜図９は本発明の実施の形態１に係るコルゲートチューブ通し治具の使用方法を作業工程を追って説明する側面図であって、図４はコルゲートチューブ通し治具の取り付け工程（Ｓ１）、図５はコルゲートチューブの取り付け工程（Ｓ２）、図６はコルゲートチューブの押し込み工程（Ｓ３）、図７はコルゲートチューブの位置合わせ工程（Ｓ４）、図８はコルゲートチューブ通し治具の移動工程（Ｓ５）、図９はコルゲートチューブ通し治具の取り外し工程（Ｓ６）である。
なお、各図面は模式的に描かれたものであって、本発明は描かれた形態に限定されるものではない。また、図面が煩雑になるのを避けるため、一部の部位については符号の記載を省略している。
【００２１】
図４〜図９を参照して、幹線２１０と分岐線２２０とが分岐部２３０において分岐しているワイヤハーネス（以下「Ｗ／Ｈ」と称す）２００に、軸方向スリット３１０と、軸方向スリット３１０の位置に形成された孔あき部３２０とを具備するコルゲートチューブ（以下「ＣＯＴ」と称す）３００を装着する際のＣＯＴ通し治具１００の使用方法について、各工程（Ｓ１〜Ｓ６）を順に説明する。
【００２２】
（Ｓ１：治具の取り付け）
図４において、ＣＯＴ通し治具１００の上面側縁１４ｕ同士の間隔を広げて、Ｗ／Ｈ２００の分岐部２３０（幹線２１０の一部および分岐線２２０の一部）を懐部１１０（図３参照）に収容する。
まず、ＣＯＴ通し治具１００を幹線２１０に対して斜めにして、矢印Ｙ１の方向に移動し、幹線２１０に上面側縁１４ｕを当接ないし摺動させる。そして、ＣＯＴ通し治具１００を矢印Ｒ１の方向に回動する。
【００２３】
（Ｓ２：ＣＯＴの取り付け）
図５において、前記矢印Ｒ１方向の回転によって、接続側縁１１は幹線２１０に平行になって、懐部１１０に分岐部２３０が収納され、幹線２１０の分岐部２３０を挟んだ両側が接続側縁１１と平行に引き出され、分岐線２２０は接続側縁１１に垂直に引き出されている。
そして、ＣＯＴ３００の軸方向スリット３１０にＣＯＴ通し治具１００の側縁突条２０ｂを侵入させて、ＣＯＴ３００を矢印Ｙ２の方向に送り出し、ＣＯＴ３００の内部に傾斜突条３０ｂを侵入させる（あるいは、傾斜突条３０ｂを侵入させた後、側縁突条２０ｂを侵入させる）。このとき、指先で、第１板体１０ａと第２板体１０ｂとを挟み付けて懐部１１０を狭くすることによって、ＣＯＴ通し治具１００はＷ／Ｈ２００を確実に把持可能であるから、ＣＯＴ３００の矢印Ｙ２の方向への送り出しが容易になる。
【００２４】
なお、この場合に、傾斜突条３０ａ、３０ｂ、３０ｃ、３０ｄの内で傾斜突条３０ｂが選択されたのは、傾斜突条３０ｂと下面前端１２ｆとの距離がＣＯＴ３００の内径よりもわずかに小さいからである。すなわち、仮に、傾斜突条３０ｃが選択されたのでは、傾斜突条３０ｃと下面前端１２ｆとの距離はＣＯＴ３００の内径よりも大きいため、傾斜突条３０ｃはＣＯＴ３００の中に侵入不可能である。
一方、仮に、傾斜突条３０ａが選択されたのでは、傾斜突条３０ａと下面前端１２ｆとの距離はＣＯＴ３００の内径よりも十分小さいため、傾斜突条３０ａはＣＯＴ３００の中に侵入可能であるもの、後記するように、軸方向スリット３１０が十分に拡大される前に、ＣＯＴ３００はＣＯＴ通し治具１００から外れてしまい、Ｗ／Ｈ２００を包囲不可能になる。同様に、仮に、傾斜突条３０ｄが選択されたのでは、Ｗ／Ｈ２００を包囲不可能になる。
【００２５】
（Ｓ３：ＣＯＴの押し込み）
図６において、ＣＯＴ通し治具１００は可撓性を有する樹脂によって成形されているから、第１板体上面１４ａおよび第２板体上面１４ｂと、第１板体中面１３ａおよび第２板体中面１３ｂとを挟み付けることによって、Ｗ／Ｈ２００を懐部１１０において把持した状態で、ＣＯＴ３００を矢印Ｙ２の方向に押し込む。
そうすると、軸方向スリット３１０は第１板体下面１２ａおよび第２板体下面１２ｂの外面に摺動して、幅が徐々に拡大され、さらに、第１板体中面１３ａおよび第２板体中面１３ｂの外面に摺動して、幅はさらに拡大される。このとき、ＣＯＴ３００の内面（図示しない）は傾斜突条後面３１ｂに摺動し、さらに、補助傾斜突条後面４１ｂに摺動するから、ＣＯＴ３００はＣＯＴ通し治具１００から脱落しない。
【００２６】
そして、軸方向スリット３１０は第１板体中面１３ａおよび第２板体中面１３ｂの外面に摺動した後、当該外面から外れ、ＣＯＴ３００は、一部がＷ／Ｈ２００を包囲した状態で矢印Ｘ１の方向に送り出される。そして、軸方向スリット３１０の幅は弾性復元力によって縮小し、ＣＯＴ３００はＷ／Ｈ２００を包囲する。
なお、軸方向スリット３１０は第１板体中面１３ａの外面および第２板体中面１３ｂの外面から外れた後、幅が縮小して、第１板体上面１４ａの外面および第２板体上面１４ｂの外面に摺動する場合がある。
【００２７】
（Ｓ４：ＣＯＴの位置合わせ）
図７において、ＣＯＴ３００の孔あき部３２０が分岐部２３０の位置に到達したところ（図６参照）で、ＣＯＴ通し治具１００を矢印Ｘ２の方向に移動して分岐部２３０から離す。そうすると、ＣＯＴ３００は傾斜突条３０ｂおよび補助傾斜突条４０ｂに摺動して、矢印Ｙ２の方向に引き付けられるため、孔あき部３２０の位置はＣＯＴ通し治具１００から外れ、孔あき部３２０に分岐線２２０が侵入する。
【００２８】
（Ｓ５：治具の移動）
図８において、ＣＯＴ通し治具１００を矢印Ｘ２の方向にさらに移動すると、ＣＯＴ３００は傾斜突条３０ｂおよび補助傾斜突条４０ｂに摺動して、矢印Ｙ２の方向に引き付けられる。そうすると、軸方向スリット３１０の孔あき部３２０に近い範囲はＣＯＴ通し治具１００から外れて閉じ、分岐線２２０はＣＯＴ３００の孔あき部３２０から引き出された状態で、幹線２１０の分岐部２３０の前後がＣＯＴ３００によって包囲される。
【００２９】
（Ｓ６：治具の取り外し）
図９において、ＣＯＴ通し治具１００がＣＯＴ３００から外れたところで、ＣＯＴ通し治具１００を矢印Ｙ３の方向に引っ張り、Ｗ／Ｈ２００から取り外す。このとき、第１板体上面１４ａおよび第２板体上面１４ｂの懐部１１０側の面（「内面」に同じ）は幹線２１０に摺動して、互いの間隔が拡大するから、ＣＯＴ通し治具１００をＷ／Ｈ２００から容易に取り外すことができる。
【００３０】
（別の使用方法）
以上は、軸方向スリット３１０に側縁突条２０ｂを侵入させて、ＣＯＴ３００（外径が例えば１９ｍｍまたは２２ｍｍ）の内部に傾斜突条３０ｂを侵入させているが、ＣＯＴ３００がより小径（外径が例えば１０ｍｍ、１３ｍｍまたは２２ｍｍ）の場合は、軸方向スリット３１０に側縁突条２０ａを侵入させて、ＣＯＴ３００の内部に傾斜突条３０ａを侵入させる（あるいは傾斜突条３０ａを侵入させた後、側縁突条２０ａを侵入させる）。反対に、ＣＯＴ３００がより大径（外径が例えば２５ｍｍ以上）の場合は、軸方向スリット３１０に側縁突条２０ｃを侵入させて、ＣＯＴ３００の内部に傾斜突条３０ｃを侵入させる（あるいは傾斜突条３０ｃを侵入させた後、側縁突条２０ｃを侵入させる）。
また、ＣＯＴ３００が非常に小径（外径が例えば１０ｍｍ未満）の場合は、軸方向スリット３１０に側縁突条２０ｄを侵入させて、ＣＯＴ３００の内部に傾斜突条３０ｄを侵入させる（あるいは傾斜突条３０ｄを侵入させた後、側縁突条２０ｄを侵入させる）。このとき、ＣＯＴ３００の軸方向スリット３１０に近い内面および外面は、傾斜突条３０ｄおよび補助傾斜突条５０ｄに挟まれるように案内されるから、作業が容易である。
【００３１】
さらに、孔あき部３２０を具備しないＷ／Ｈ２００に装着する場合、前記Ｓ４（ＣＯＴの位置合わせ）をする必要がなく、また、複数の分岐部２３０（複数の分岐線２２０）を具備するＷ／Ｈ２００に装着する場合、前記Ｓ５（治具の移動）の後、前記Ｓ６（治具の取り外し）をすることなく、前記Ｓ４（ＣＯＴの位置合わせ）を実行する。すなわち、分岐部２３０毎に、ＣＯＴ３００を取り外したり、取り付けたりする面倒を排除して、ＣＯＴ通し治具１００を一方向に移動するだけで、当該装着作業が可能になる。
【００３２】
（作用効果）
本発明の実施の形態１に係るＣＯＴ通し治具１００は、以上であるから、以下の作用効果を奏する。
（ａ）側縁突条２０ａ等は軸方向スリット３１０に確実に侵入可能で、傾斜突条３０ａ等はＣＯＴ３００を確実に案内可能で、ＣＯＴ３００は一方向の押し込みによって容易にＷ／Ｈ２００を包囲するから、ＣＯＴ３００を装着する作業性が向上する。
（ｂ）側縁突条２０ａ等および傾斜突条３０ａ等が複数箇所に設けられているから、１つのＣＯＴ通し治具１００によって、いろいろなサイズのＣＯＴ３００をＷ／Ｈ２００に装着することが可能になる。よって、治具の保管数が減少し、治具管理が簡素になる。
（ｃ）また、ＣＯＴ通し治具１００は、接続側縁１１とは反対側が開口している。すなわち、上面側縁１４ｕ同士が連結されていないから、ＣＯＴ通し治具１００を一方向（Ｘ２方向）に移動するだけで、ＣＯＴ通し治具１００を分岐部２３０毎に取り付けたり、取り外したりすることなく、複数の孔あき部３２０が設けられたＣＯＴ３００を複数の分岐部２３０（複数の分岐線２２０）を具備するＷ／Ｈ２００に装着することができる。
【産業上の利用可能性】
【００３３】
以上のように、本発明に係るコルゲートチューブ通し治具は簡素な構成であって、１つのコルゲートチューブ通し治具によって、いろいろなサイズのコルゲートチューブをワイヤハーネスに簡単に装着することができるから、コルゲートチューブとワイヤハーネスとに限定することなく、軸方向スリットあるいは螺旋状スリットを具備する可撓性管体を、棒状部ないし管状部に具備する物体に装着する治具として広く利用することができる。
【符号の説明】
【００３４】
１０ａ：第１板体
１０ｂ：第２板体
１１  ：接続側縁
１２ａ：第１板体下面
１２ｂ：第２板体下面
１２ｆ：下面前端
１２ｒ：下面後端
１２ｕ：下面側縁
１３ａ：第１板体中面
１３ｂ：第２板体中面
１３ｆ：中面前端
１３ｒ：中面後端
１４ａ：第１板体上面
１４ｂ：第２板体上面
１４ｆ：上面前端
１４ｒ：上面後端
１４ｕ：上面側縁
２０ａ：側縁突条
２０ｂ：側縁突条
２０ｃ：側縁突条
２０ｄ：側縁突条
２１ａ：側縁突条前面
２１ｂ：側縁突条前面
２１ｃ：側縁突条前面
２１ｄ：側縁突条後面
３０ａ：傾斜突条
３０ｂ：傾斜突条
３０ｃ：傾斜突条
３０ｄ：傾斜突条
３１ａ：傾斜突条後面
３１ｂ：傾斜突条後面
３１ｃ：傾斜突条後面
３１ｄ：傾斜突条前面
４０ａ：補助傾斜突条
４０ｂ：補助傾斜突条
４０ｃ：補助傾斜突条
４１ａ：補助傾斜突条後面
４１ｂ：補助傾斜突条後面
４１ｃ：補助傾斜突条後面
５０ｄ：補助傾斜突条
５１ｄ：補助傾斜突条後面
１００：ＣＯＴ通し治具（コルゲートチューブ通し治具）
１１０：懐部
２００：Ｗ／Ｈ（ワイヤハーネス）
２１０：幹線
２２０：分岐線
２３０：分岐部
３００：ＣＯＴ（コルゲートチューブ）
３１０：軸方向スリット
３２０：孔あき部
θ１２：下面開き角度
θ１３：中面開き角度
【図１】
0006584293.tif 000002
【図２】
0006584293.tif 000003
【図３】
0006584293.tif 000004
【図４】
0006584293.tif 000005
【図５】
0006584293.tif 000006
【図６】
0006584293.tif 000007
【図７】
0006584293.tif 000008
【図８】
0006584293.tif 000009
【図９】
0006584293.tif 000010